(57)【要約】【課題】  プラズマディスプレイパネルを提供する。【解決手段】第１基板と、第１基板に対向する第２基板と、第１基板と第２基板との間に配置され、第１基板及び第２基板と共に放電セルを限定する隔壁と、第１基板と隔壁との間及び第２基板と隔壁との間のうち、少なくとも何れか１箇所に備えられる外光吸収層と、放電セルを取り囲むように隔壁内に配置された第１放電電極と、放電セルを取り囲むように隔壁内に配置され、第１放電電極から第１基板または第２基板の方向に離れた第２放電電極と、放電セル内に配置された蛍光体層と、放電セル内にある放電ガスと、を備えることを特徴とするプラズマディスプレイパネルである。これにより、コントラストが向上し、電磁気波の外部放出が遮蔽される。【選択図】図２
2006147578.tif 000002
【特許請求の範囲】
【請求項１】
第１基板と、
前記第１基板に対向する第２基板と、
前記第１基板と前記第２基板との間に配置され、前記第１基板及び前記第２基板と共に放電セルを限定する隔壁と、
前記第１基板と前記隔壁との間及び前記第２基板と前記隔壁との間のうち、少なくとも何れか１箇所に備えられる外光吸収層と、
前記放電セルを取り囲むように前記隔壁内に配置された第１放電電極と、
前記放電セルを取り囲むように前記隔壁内に配置され、前記第１放電電極から前記第１基板または前記第２基板の方向に離れた第２放電電極と、
前記放電セル内に配置された蛍光体層と、
前記放電セル内にある放電ガスと、を備えることを特徴とするプラズマディスプレイパネル。
【請求項２】
前記外光吸収層は、導電性であることを特徴とする請求項１に記載のプラズマディスプレイパネル。
【請求項３】
前記外光吸収層は、共通端子に連結されることを特徴とする請求項２に記載のプラズマディスプレイパネル。
【請求項４】
前記共通端子は、接地されることを特徴とする請求項３に記載のプラズマディスプレイパネル。
【請求項５】
前記第１放電電極は、一方向に延び、前記第２放電電極は、前記第１放電電極と交差するように延びることを特徴とする請求項１に記載のプラズマディスプレイパネル。
【請求項６】
前記第１放電電極及び前記第２放電電極は、一方向に延び、
前記第１放電電極及び第前記２放電電極と交差するように延びたアドレス電極を更に備えることを特徴とする請求項１に記載のプラズマディスプレイパネル。
【請求項７】
前記アドレス電極は、前記第２基板上に配置されることを特徴とする請求項６に記載のプラズマディスプレイパネル。
【請求項８】
前記アドレス電極を覆う誘電体層を更に備えることを特徴とする請求項６に記載のプラズマディスプレイパネル。
【請求項９】
少なくとも前記隔壁の側面の一部に配置される保護層を更に備えることを特徴とする請求項１に記載のプラズマディスプレイパネル。
【請求項１０】
第１基板と、
前記第１基板に対向する第２基板と、
前記第１基板と前記第２基板との間に配置され、前記第１基板及び前記第２基板と共に放電セルを限定する隔壁と、
前記第１基板の前記隔壁に対応する領域及び前記第２基板の前記隔壁に対応する領域のうち、少なくとも何れか一つの領域には溝が形成され、前記溝に備えられる外光吸収層と、
前記放電セルを取り囲むように前記隔壁内に配置された第１放電電極と、
前記放電セルを取り囲むように前記隔壁内に配置され、前記第１放電電極から前記第１基板または前記第２基板の方向に離れた第２放電電極と、
前記放電セル内に配置された蛍光体層と、
前記放電セル内にある放電ガスと、を備えることを特徴とするプラズマディスプレイパネル。
【請求項１１】
前記外光吸収層は、導電性であることを特徴とする請求項１０に記載のプラズマディスプレイパネル。
【請求項１２】
前記外光吸収層は、共通端子に連結されることを特徴とする請求項１１に記載のプラズマディスプレイパネル。
【請求項１３】
前記共通端子は、接地されることを特徴とする請求項１２に記載のプラズマディスプレイパネル。
【請求項１４】
前記第１放電電極は、一方向に延び、前記第２放電電極は、前記第１放電電極と交差するように延びることを特徴とする請求項１０に記載のプラズマディスプレイパネル。
【請求項１５】
前記第１放電電極及び前記第２放電電極は、一方向に延び、
前記第１放電電極及び前記第２放電電極と交差するように延びたアドレス電極を更に備えることを特徴とする請求項１０に記載のプラズマディスプレイパネル。
【請求項１６】
前記アドレス電極は、前記第２基板上に配置されることを特徴とする請求項１５に記載のプラズマディスプレイパネル。
【請求項１７】
前記アドレス電極を覆う誘電体層を更に備えることを特徴とする請求項１５に記載のプラズマディスプレイパネル。
【請求項１８】
少なくとも前記隔壁の側面の一部に配置される保護層を更に備えることを特徴とする請求項１０に記載のプラズマディスプレイパネル。
【発明の詳細な説明】
【技術分野】
【０００１】
本発明は、プラズマディスプレイパネル（Plasma Display Panel：以下、ＰＤＰ）に係り、より詳細には、発光効率及びコントラストが向上するように構造が改善されたＰＤＰに関する。
【背景技術】
【０００２】
一般的に、ＰＤＰは、気体放電から生成された紫外線で蛍光体を励起させて、所定の映像を具現する平板ディスプレイ装置であって、薄型化及び高解像度の大画面の構成が可能であり、次世代の薄型平板ディスプレイ装置として脚光を浴びている。このようなＰＤＰの発光効率を高めるためには、パネル内部の放電ガスを励起させるための維持放電が発生する空間の体積が大きく、蛍光体層の表面積が広く、蛍光体層から放出される可視光線を妨害する構成要素が少ないというなどの条件を満足させなければならない。
【０００３】
図１には、従来のＰＤＰの一例が図示されている。このＰＤＰは、互いに対向した第１基板１１１と第２基板１２１とを備える。前記第１基板の前記第２基板方向の面１１１ａ上には、放電電極対１１４が配置され、前記放電電極対を覆う第１誘電体層１１５、及び前記第１誘電体層１１５を覆う保護層１１６が備えられる。前記放電電極対は、Ｘ電極１１２及びＹ電極１１３を備え、前記Ｘ電極１１２及び前記Ｙ電極１１３のそれぞれは、透明電極１１２ｂ、１１３ｂとバス電極１１２ａ、１１３ａとを備える。前記第１基板１１１に対向した第２基板１２１の前記第１基板方向の面１２１ａ上には、互いに平行に配置されたアドレス電極１２２が備えられ、前記アドレス電極を覆う第２誘電体層１２３、前記第２誘電体層１２３上に形成された隔壁１２４、及び前記第２誘電体層１２３の前記第１基板１１１方向の面と隔壁１２４の側面とに形成された蛍光体層１２５が備えられる。
【０００４】
しかし、このような従来のＰＤＰの場合には、維持放電が第１基板１１１の下面のみに配置されたＸ電極１１２とＹ電極１１３との間の空間のみで発生するため、維持放電が発生する空間の体積が小さく、蛍光体層の表面積が特別に広くなく、また、蛍光体層１２５から放出される可視光線の一部が、保護膜１１６、誘電体層１１５、透明電極１１２ｂ、１１３ｂ及びバス電極１１２ａ、１１３ａなどによって吸収及び／または反射されるため、第１基板１１１を通過する可視光線の量は、蛍光体層から放出された可視光線の量の約６０％に過ぎず、発光効率が著しく低下するという問題点があった。
【発明の開示】
【発明が解決しようとする課題】
【０００５】
本発明は、前記問題点を含んで、多様な問題点を解決するためになされたものであって、発光効率が向上しつつも、放電安定性及び輝度が向上したＰＤＰ、特に、コントラストが向上し、電磁気波の外部放出が遮蔽されたＰＤＰを提供することを目的とする。
【課題を解決するための手段】
【０００６】
前記のような目的及びその他の多様な目的を達成するために、本発明は、第１基板と、前記第１基板に対向する第２基板と、前記第１基板と前記第２基板との間に配置され、前記第１基板及び前記第２基板と共に放電セルを限定する隔壁と、前記第１基板と前記隔壁との間及び前記第２基板と前記隔壁との間のうち、少なくとも何れか１箇所に備えられる外光吸収層と、前記放電セルを取り囲むように前記隔壁内に配置された第１放電電極と、前記放電セルを取り囲むように前記隔壁内に配置され、前記第１放電電極から前記第１基板または前記第２基板の方向に離れた第２放電電極と、前記放電セル内に配置された蛍光体層と、前記放電セル内にある放電ガスと、を備えることを特徴とするプラズマディスプレイパネルを提供する。
【０００７】
このような本発明の他の特徴によれば、前記外光吸収層は、導電性でありうる。
【０００８】
本発明の更に他の特徴によれば、前記外光吸収層は、共通端子に連結されうる。
【０００９】
本発明の更に他の特徴によれば、前記共通端子は、接地されうる。
【００１０】
本発明の更に他の特徴によれば、前記第１放電電極は、一方向に延び、前記第２放電電極は、前記第１放電電極と交差するように延びうる。
【００１１】
本発明の更に他の特徴によれば、前記第１放電電極及び前記第２放電電極は、一方向に延び、前記第１放電電極及び第前記２放電電極と交差するように延びたアドレス電極を更に備えうる。
【００１２】
本発明の更に他の特徴によれば、前記アドレス電極は、前記第２基板上に配置されうる。
【００１３】
本発明の更に他の特徴によれば、前記アドレス電極を覆う誘電体層を更に備えうる。
【００１４】
本発明の更に他の特徴によれば、少なくとも前記隔壁の側面の一部に配置される保護層を更に備えうる。
【００１５】
また、本発明は、前記のような目的を達成するために、第１基板と、前記第１基板に対向する第２基板と、前記第１基板と前記第２基板との間に配置され、前記第１基板及び前記第２基板と共に放電セルを限定する隔壁と、前記第１基板の前記隔壁に対応する領域及び前記第２基板の前記隔壁に対応する領域のうち、少なくとも何れか一つの領域には溝が形成され、前記溝に備えられる外光吸収層と、前記放電セルを取り囲むように前記隔壁内に配置された第１放電電極と、前記放電セルを取り囲むように前記隔壁内に配置され、前記第１放電電極から前記第１基板または前記第２基板の方向に離れた第２放電電極と、前記放電セル内に配置された蛍光体層と、前記放電セル内にある放電ガスと、を備えることを特徴とするプラズマディスプレイパネルを提供する。
【００１６】
このような本発明の他の特徴によれば、前記外光吸収層は、導電性でありうる。
【００１７】
本発明の更に他の特徴によれば、前記外光吸収層は、共通端子に連結されうる。
【００１８】
本発明の更に他の特徴によれば、前記共通端子は、接地されうる。
【００１９】
本発明の更に他の特徴によれば、前記第１放電電極は、一方向に延び、前記第２放電電極は、前記第１放電電極と交差するように延びうる。
【００２０】
本発明の更に他の特徴によれば、前記第１放電電極及び前記第２放電電極は、一方向に延び、前記第１放電電極及び前記第２放電電極と交差するように延びたアドレス電極を更に備えうる。
【００２１】
本発明の更に他の特徴によれば、前記アドレス電極は、前記第２基板上に配置されうる。
【００２２】
本発明の更に他の特徴によれば、前記アドレス電極を覆う誘電体層を更に備えうる。
【００２３】
本発明の更に他の特徴によれば、少なくとも前記隔壁の側面の一部に配置される保護層を更に備えうる。
【発明の効果】
【００２４】
本発明のＰＤＰによれば、次のような効果を得ることができる。
【００２５】
第一に、外光吸収層を備えることにより、ＰＤＰのコントラストを更に向上させうる。
【００２６】
第二に、外光吸収層として導電性の外光吸収層を使用することにより、ＰＤＰで発生した電磁気波が外部に放出されることを防止できる。
【００２７】
第三に、外光吸収層を基板内に備えることにより、コントラストが高く、かつ薄型のＰＤＰを製造できる。
【００２８】
第四に、発生した可視光線が第１基板を通過するが、可視光線が通過する第１基板の部分には電極が存在しないため、開口率及び透過率が画期的に向上しうる。
【００２９】
第五に、面放電が、放電空間を形成するあらゆる側面で発生しうるため、放電面積が大きく拡大されうる。
【００３０】
第六に、放電が、発光セルを形成する側面で発生して、発光セルの中央部に広がるため、放電領域が従来に比べて著しく拡大されることにより、発光セルの全体を効率的に利用できる。したがって、低い電圧でも駆動が可能になり、発光効率を画期的に向上させうる。
【００３１】
第七に、本発明のＰＤＰ及びこれを備えた平板表示装置では、前記のように低電圧駆動が可能であるため、高濃度のＸｅガスを放電ガスとして使用しても、低電圧駆動が可能になり、発光効率を向上させうる。
【発明を実施するための最良の形態】
【００３２】
以下、添付された図面を参照して本発明の好ましい実施形態を詳細に説明すれば、次の通りである。
【００３３】
図２は、本発明の好ましい一実施形態に係るＰＤＰを概略的に示す分離斜視図であり、図３は、図２に示すＰＤＰの電極の配置構造を概略的に示す斜視図であり、図４は、図２のIV−IV線の断面図である。
【００３４】
前記図面に示すように、第１基板２１１と第２基板２２１とが互いに対向するように配置される。前記第１基板２１１及び前記第２基板２２１は、ガラスのような透明な材質から形成されうる。そして、前記第１基板の下面２１１ａのうち、放電セル２２６を限定する部分には、従来のＰＤＰの第１基板の下面にある放電電極対（図１の１１４）、前記放電電極対を覆う上側誘電体層（図１の１１５）などが存在しない。したがって、後述する蛍光体層２２５から放出された可視光線の量の８０％以上が前記第１基板２１１を通過でき、これにより、発光効率及び輝度の向上などを図ることができる。
【００３５】
一方、前記第１基板２１１と前記第２基板２２１との間に隔壁２１５、２２４が備えられる。前記隔壁２１５、２２４は、図２に示すように、必要に応じて、第１基板２１１方向の第１隔壁２１５と第２基板２２１方向の第２隔壁２２４のうち、少なくとも一つを備えることもできる。以下では便宜上、隔壁が、図２に示すように、第１隔壁２１５と第２隔壁２２４とを備えた場合について説明する。前記隔壁２１５、２２４は、前記第１基板２１１及び前記第２基板２２１と共に放電セル２２６を限定する。
【００３６】
この時、図２には、前記放電セル２２６がマトリックス状に配置されたものを図示しているが、本発明がこれに限定されるものではなく、デルタ状のような多様な形態に変形できるということは言うまでもない。また、図２には、放電セル２２６の横断面が四角形であるものと図示されているが、三角形、五角形などの多角形、円形または楕円形などに多様な変形が可能である。これは、後述する実施形態においても同じである。
【００３７】
前記隔壁、特に、図２に示すような第１隔壁２１５は、誘電体から形成されることが好ましい。これは、後述するように、第１隔壁２１５内に備えられる第１放電電極２１２及び第２放電電極２１３が、互いに直接通電されることを防止し、荷電粒子が前記放電電極２１２、２１３に衝突することにより、それらを損傷させることを防止するためである。このような誘電体としては、ＰｂＯ、Ｂ２Ｏ３及びＳｉＯ２などがある。
【００３８】
この場合、少なくとも前記隔壁の側面の一部は、保護膜によって覆われることが好ましい。図２では、前記隔壁をなす第１隔壁２１５の側面が、保護膜２１６により覆われているものと図示されている。
【００３９】
前記保護膜２１６は、例えば、ＭｇＯなどの物質を蒸着して形成するが、保護膜２１６を蒸着する時、第１隔壁２１５の下面（２１５ｃ’、図４を参照）と、放電セル２２６を限定する第１基板２１１の下面２１１ａとにも保護膜２１６が形成されることもできる。しかし、第１隔壁の下面（２１５ｃ’、図４を参照）と第１基板の下面２１１ａとに形成された保護膜が、本実施形態に係るＰＤＰの作動に深刻な悪影響を与えるものではなく、第１基板の下面２１１ａに形成された保護膜は、２次電子の放出という効果を考慮すれば好ましい。
【００４０】
一方、前記第１基板２１１と前記隔壁２１５、２２４との間、及び前記第２基板２２１と前記隔壁２１５、２２４との間のうち、少なくとも何れか１箇所に、外光吸収層２３０が備えられる。図２では、前記第１基板２１１と前記隔壁２１５、２２４との間に、外光吸収層２３０が備えられていると図示されているが、これに限定されるものではない。すなわち、前記外光吸収層２３０は、第１基板２１１及び第２基板２２１のうち、放電セル２２６内で発生した光が取り出される基板上に備えられればよい。これは、後述する実施形態においても同じである。
【００４１】
前記外光吸収層２３０は、外部からパネル内へ入射する外光を吸収する層であって、後述するように、画像のコントラストを高める役割を行う。
【００４２】
また、前記のような構造を有しつつ、前記外光吸収層を導電性の外光吸収層にして、ＰＤＰで発生した電磁気波を外部に放出させないことも可能である。すなわち、本実施形態に係るＰＤＰの場合には、前記外光吸収層２３０が導電性物質からメッシュ状に形成されることにより、ＰＤＰで発生した電磁気波が外部に放出されることを防止する役割も行える。もちろん、前記導電性の外光吸収層２３０は、図２に示すものとは異なり、メッシュ状ではないストライプ状に形成されうるなど、多様な変形が可能である。これは、後述する実施形態においても同じである。
【００４３】
前記導電性の外光吸収層が、メッシュ状ではないストライプ状などの他の形態に形成される場合には、前記導電性の外光吸収層を共通端子に連結させることが好ましい。導電性の外光吸収層を共通端子に連結させて、あらゆる導電性の外光吸収層をして等電位面を形成させることにより、ＰＤＰで発生した電磁気波が外部に放出されることを更に効率的に防止できるためである。
【００４４】
また、前記導電性の外光吸収層が特定の電位を有することにより、所定の映像を再生するために、多様な電圧が印加される、後述する多様な電極に影響を与えうるため、前記導電性の外光吸収層が連結された共通端子を接地させることが好ましい。もちろん、前記導電性の外光吸収層がメッシュ状に形成される場合にも、共通端子に連結させ、前記共通端子を接地させることが好ましい。
【００４５】
一方、前記のように、前記第１基板２１１、前記第２基板２２１及び前記隔壁２１５、２２４により定義された放電セル２２６を取り囲むように、前記隔壁２１５、２２４内に第１放電電極２１２が備えられる。また、前記放電セル２２６を取り囲むように、第２放電電極２１３が前記隔壁２１５、２２４内に備えられるが、前記第２放電電極２１３は、前記第１放電電極２１２から離れて配置される。図２では、前記第１放電電極２１２及び前記第２放電電極２１３が第１隔壁２１５内に備えられていると図示されているが、本発明は、これに限定されるものではない。
【００４６】
図２に示すように、前記第１隔壁２１５内に、第２放電電極２１３及び第１放電電極２１２を配置させるために、例えば、図４に示すように、第１基板の下面２１１ａ上に第１隔壁層２１５ａを形成し、前記第１隔壁層２１５ａ上に第２放電電極２１３を形成し、その後、第２放電電極２１３を覆うように第２隔壁層２１５ｂを形成し、前記第２隔壁層２１５ｂ上に第１放電電極２１２を形成し、前記第１放電電極２１２を覆うように第３隔壁層２１５ｃを形成できる。前記第１隔壁層２１５ａ、第２隔壁層２１５ｂ及び第３隔壁層２１５ｃのそれぞれは、必要に応じて（例えば、各層を厚くするために）、二つ以上の層で積層されうる。もちろん、隔壁が、図２に示すように、第１隔壁２１５と第２隔壁２２４とから形成されずに、単一隔壁または三つ以上の隔壁から形成された場合にも、このような方法を利用できる。
【００４７】
前記第１放電電極２１２及び前記第２放電電極２１３は、維持放電のための電極であって、これらの電極の間で、ＰＤＰの画像を具現するための維持放電が発生する。前記第１放電電極２１２及び第２放電電極２１３は、アルミニウムまたは銅のような導電性金属から形成されうる。
【００４８】
図２に示す本実施形態に係るＰＤＰの場合には、第１放電電極２１２、第２放電電極２１３及びアドレス電極２２２が、図３に示すように配置され、前記第１放電電極２１２及び前記第２放電電極２１３は、梯子状を有しうる。第１放電電極２１２及び第２放電電極２１３は、一対をなして一方向に互いに平行に延び、アドレス電極２２２は、それらと交差するように延びる。このような電極配置構造は、前記第１放電電極２１２及び前記第２放電電極２１３のうち、何れか一つの電極と前記アドレス電極２２２との間にアドレス放電が発生し、その後、前記第１放電電極２１２と前記第２放電電極２１３との間に維持放電を発生させるためである。
【００４９】
このように、アドレス放電と維持放電とにより駆動されるＰＤＰの各放電セルには、通常、Ｘ電極とＹ電極と呼ばれる二つの放電電極（一つの放電電極対）の他に、導電性の金属から形成されるアドレス電極が、少なくとも一つ以上が更に備えられうる。アドレス放電は、前記Ｙ電極とアドレス電極との間に発生する放電であるが、本実施形態に係るＰＤＰの場合のように、アドレス電極２２２が第２放電電極２１３及び第１放電電極２１２の下側に配置された場合には、第１放電電極２１２がＹ電極であることが好ましい。第１放電電極２１２がＹ電極である場合には、第２放電電極２１３がＸ電極になる。
【００５０】
本実施形態に係るＰＤＰの第２放電電極２１３及び第１放電電極２１２は、従来の放電電極１１２、１１３とは違って、放電セル２２６を取り囲んでいる。したがって、維持放電は、前記放電セル２２６の周りに沿って発生するため、維持放電が発生する空間の体積が相対的に大きい。したがって、本実施形態に係るＰＤＰの発光効率は、従来のＰＤＰの発光効率より高くなる。
【００５１】
また、本実施形態に係るＰＤＰの放電セル２２６内では、図４に示すように、維持放電が放電セル２２６の上側部（第１基板２１１に近い部分）のみで発生するため、維持放電時に発生しうる荷電粒子による蛍光体層２２５のイオンスパッタリングが低減する。したがって、前記蛍光体層２２５の劣化による永久残像の発生を防止できる。
【００５２】
図２ないし図４には、アドレス電極２２２が前記第２基板２２１と蛍光体層２２５との間、より具体的には、第２基板の上面２２１ａに配置されたものと図示されているが、アドレス電極２２２の位置がこれに限定されるものではない。例えば、アドレス電極２２２は、前記第１隔壁２１５内に前記放電セル２２６を取り囲むように配置されうる。この場合、前記アドレス電極２２２は、前記の前記第２放電電極２１３及び前記第１放電電極２１２と類似した形状（梯子状）を有するが、前記第２放電電極２１３及び前記第１放電電極２１２と交差する方向に延びるという点で異なる。また、アドレス電極２２２は、前記第２放電電極２１３と前記第１基板２１１との間、前記第２放電電極２１３と前記第１放電電極２１２との間、または、前記第１放電電極２１２と前記第１隔壁２２４との間に配置されうる。アドレス電極が、どこに配置されても、前記第２放電電極２１３及び前記第１放電電極２１２と離れて配置され、前記第２放電電極２１３及び前記第１放電電極２１２と絶縁される。アドレス電極２２２が、前記第１基板の下面２１１ａのうち、放電セルを限定する部分に配置されることも可能であるが、この場合には、アドレス電極が別途の誘電体層で覆われることが好ましい。
【００５３】
前記蛍光体層２２５とアドレス電極２２２との間には、誘電体層２２３が配置される。前記誘電体層２２３は、前記アドレス電極２２２を覆い、放電時に、荷電粒子が前記アドレス電極２２２に衝突して、前記アドレス電極２２２を損傷させることを防止する。前記誘電体層２２３は、荷電粒子を誘導できる誘電体から形成されることが好ましいが、このような誘電体としては、ＰｂＯ、Ｂ２Ｏ３、ＳｉＯ２などがある。
【００５４】
一方、前記のように前記放電セル２２６を限定する前記隔壁は、図２に示すように、第１隔壁２１５及び第２隔壁２２４を備え得る。この場合、前記第２隔壁２２４は、前記第２基板２２１に備えられるが、前記第２隔壁２２４は、赤色発光蛍光体を備える蛍光体層、緑色発光蛍光体を備える蛍光体層及び青色発光蛍光体を備える蛍光体層が配置される領域を区画する。また、前記第１隔壁２１５と同様に、前記第２隔壁２２４も、四角形の横断面を有する空間をマトリックス状に配列させる格子状を有する。したがって、前記第２隔壁２２４も、閉鎖された横断面を有する空間を限定する。もちろん、前記のように、前記第２隔壁２２４も、多様な形態に変形可能である。
【００５５】
前記放電セル２２６の内部、より詳細には、誘電体層の上面２２３ａと第２隔壁の側面２２４ａとに配置された蛍光体層２２５は、赤色発光蛍光体、緑色発光蛍光体及び青色発光蛍光体のうち、一つの蛍光体と、ソルベント及びバインダが混合された蛍光体ペーストとを、誘電体層の上面２２３ａと第２隔壁の側面２２４ａとに塗布した後、これを乾燥及び焼成させることにより形成される。前記赤色発光蛍光体としては、Ｙ（Ｖ，Ｐ）Ｏ４：Ｅｕなどがあり、緑色発光蛍光体としては、Ｚｎ２ＳｉＯ４：Ｍｎ、ＹＢＯ３：Ｔｂなどがあり、青色発光蛍光体としては、ＢＡＭ：Ｅｕなどがある。
【００５６】
図２及び図４には、前記蛍光体層２２５が、誘電体層の上面２２３ａと第２隔壁の側面２２４ａとに配置されたものと図示されているが、前記蛍光体層は、後述する放電ガスから放出される紫外線を受けて可視光線を放出するため、その位置が、誘電体層の上面２２３ａと第２隔壁の側面２２４ａとに限定されるものではなく、放電セル２２６内に位置すればよい。
【００５７】
前記放電セル２２６の内部には、放電ガスが充填されている。前記放電ガスは、例えば、Ｘｅが５％ないし１５％含まれたＮｅ−Ｘｅ混合ガスであるが、必要に応じて、Ｎｅの少なくとも一部がＨｅに代替されることも可能である。もちろん、それ以外のガスを使用することも可能である。
【００５８】
前記のような構成を有するＰＤＰの作動を簡単に説明すれば、次の通りである。
【００５９】
まず、アドレス電極２２２と第１放電電極２１２との間にアドレス電圧Ｖａが印加されることにより、アドレス放電が発生し、前記アドレス放電の結果により、維持放電が発生する放電セル２２６が選択される。維持放電が発生する放電セル２２６が選択されるというのは、第１隔壁２１５（第１隔壁２１５が保護膜２１６により覆われた場合には、保護膜２１６）のうち、第２放電電極２１３及び第１放電電極２１２に隣接した領域に維持放電が発生できるように、壁電荷が蓄積されるという意味である。アドレス放電が終了すれば、第１放電電極２１２に隣接した領域に正イオンが蓄積され、第２放電電極２１３に隣接した領域に電子が蓄積される。
【００６０】
アドレス放電後、前記選択された放電セルの第１放電電極２１２と第２放電電極２１３との間に維持放電電圧Ｖｓが印加されれば、第１放電電極２１２に隣接した領域に蓄積されていた正イオンと、第２放電電極２１３に隣接した領域に蓄積されていた電子とが衝突して、維持放電を発生させる。維持放電が進むにつれ、第１放電電極２１２と第２放電電極２１３との間には、放電維持電圧Ｖｓが逆に印加される。
【００６１】
前記維持放電により前記放電ガスのエネルギー準位が高まるが、放電ガスのエネルギー準位の高いエネルギー準位から低いエネルギー準位に遷移しつつ、放電ガスから紫外線が放出される。この紫外線は、放電セル２２６内に配置された蛍光体層２２５に含まれた蛍光体のエネルギー準位を高めるが、蛍光体のエネルギー準位の高いエネルギー準位から低いエネルギー準位に遷移しつつ、可視光線が放出される。このように、各放電セル２２６から放出される可視光線により、ＰＤＰに画像が具現される。
【００６２】
一方、図２ないし図４には、第１放電電極、第２放電電極及びアドレス電極を備えたＰＤＰについて図示されているが、これとは異なる構造を有しうる。例えば、ＰＤＰが二つの電極、すなわち、第２放電電極２１３及び第１放電電極２１２により駆動され、アドレス電極２２２が無いこともある。このような場合には、図３に示すものとは異なり、第２放電電極２１３が一方向に延び、第１放電電極２１２は、前記第２放電電極２１３と交差するように延びる。アドレス電極２２２がないため、誘電体層（図４参照）２２３が不要になる。誘電体層がない場合には、図４に示すものとは異なり、第２隔壁２２４が第２基板２２１の上面２２１ａに形成され、蛍光体層２２５が第２基板２２１の上面２２１ａと第２隔壁の側面２２４ａとに形成される。
【００６３】
一方、前記外光吸収層２３０の幅は、図４に示すように、第１隔壁２１５の幅と同じく形成され、図５に示すように、第１隔壁２１５の幅より小さく形成され、図６に示すように、第１隔壁２１５の幅より大きく形成されることも可能である。
【００６４】
図７は、本発明の好ましい更に他の一実施形態に係るＰＤＰを概略的に示す分離斜視図であり、図８は、図７のVIII−VIII線の断面図である。以下では、図７及び図８を参照して、前記の実施形態と異なる事項を中心に、本実施形態に係るＰＤＰについて説明する。
【００６５】
図７及び図８に示すように、やはり外光吸収層３３０が、第１隔壁３１５と第１基板３１１との間に備えられている。本実施形態に係るＰＤＰが、前記の実施形態に係るＰＤＰと異なる点は、前記第１基板３１１の前記第１隔壁３１５に対応する領域に、溝３１１ｂが形成されており、前記外光吸収層３３０は、前記溝３１１ｂに配置されるというものである。このように、外光吸収層３３０を第１基板３１１内に配置させることにより、ＰＤＰを薄くして、更に薄型に製造できる。
【００６６】
もちろん、図７及び図８には、放電セル３２６から発生した光が、前記第１基板３１１を介して外部に取り出されるＰＤＰが図示されているが、これと異なり、第２基板３２１を介して外部に取り出されるＰＤＰも可能であり、このような場合には、前記第２基板３２１に溝が形成され、前記溝に外光吸収層を配置させうる。
【００６７】
前記のような構造を有することにより、薄型でありながらも、コントラストが更に向上したＰＤＰを製造できる。
【００６８】
また、前記のような構造を有しつつも、前記外光吸収層が導電性の外光吸収層になるようにして、ＰＤＰで発生した電磁気波を外部に放出させないこともできる。すなわち、本実施形態に係るＰＤＰの場合には、前記外光吸収層３３０が導電性物質からメッシュ状に形成されることにより、ＰＤＰで発生した電磁気波が外部に放出されることを防止する役割も行える。もちろん、前記導電性の外光吸収層３３０は、図７に示すものとは異なり、メッシュ状ではないストライプ状のような形態に多様な変形が可能である。
【００６９】
前記導電性の外光吸収層がメッシュ状ではないストライプ状のような他の形態に形成される場合には、前記導電性の外光吸収層を共通端子に連結させることが好ましい。導電性の外光吸収層を共通端子に連結させて、あらゆる導電性の外光吸収層をして等電位面を形成させることにより、ＰＤＰで発生した電磁気波が外部に放出されることを更に効率的に防止できるためである。
【００７０】
また、前記導電性の外光吸収層が特定の電位を有することにより、所定の映像を再生するために、多様な電圧が印加される多様な電極に影響を与えることもあるため、前記導電性の外光吸収層が連結された共通端子は接地させることが好ましい。もちろん、前記導電性の外光吸収層がメッシュ状に形成される場合にも共通端子に連結させ、前記共通端子は接地させることが好ましい。
【００７１】
この他に、本実施形態について別途に説明されていない事項は、前記の実施形態で説明された通りである。
【００７２】
本発明は、図面に示す実施形態を参考に説明されたが、これは例示的なものに過ぎず、当業者ならば、これから多様な変形及び均等な他の実施形態が可能であるということが理解できるであろう。したがって、本発明の真の技術的保護範囲は、特許請求の範囲の技術的思想によって決まらねばならない。
【産業上の利用可能性】
【００７３】
本発明は、ＰＤＰに関連した技術分野に好適に適用され得る。
【図面の簡単な説明】
【００７４】
【図１】従来のＰＤＰを概略的に示す部分切開斜視図である。
【図２】本発明の好ましい一実施形態に係るＰＤＰを概略的に示す分離斜視図である。
【図３】図２に示すＰＤＰの電極の配置構造を概略的に示す斜視図である。
【図４】図２のIV−IV線の断面図である。
【図５】図４の変形例を概略的に示す断面図である。
【図６】図４の変形例を概略的に示す断面図である。
【図７】本発明の好ましい他の一実施形態に係るＰＤＰを概略的に示す分離斜視図である。
【図８】図７のVIII−VIII線の断面図である。
【符号の説明】
【００７５】
２１１    第１基板
２１２    第１放電電極
２１３    第２放電電極
２１５    第１隔壁
２１６    保護膜
２２１    第２基板
２２２    アドレス電極
２２３    誘電体層
２２４    第２隔壁
２２５    蛍光体層
２２６    放電セル
２３０    外光吸収層
【図１】
2006147578.tif 000003
【図２】
2006147578.tif 000004
【図３】
2006147578.tif 000005
【図４】
2006147578.tif 000006
【図５】
2006147578.tif 000007
【図６】
2006147578.tif 000008
【図７】
2006147578.tif 000009
【図８】
2006147578.tif 000010